(57)【要約】【課題】回路規模及び消費電力を削減しつつ、縦クロストークを抑圧する。【解決手段】画像処理回路１０Aは、奇数番目の単位期間の開始からこれに続く偶数番目の単位期間の終了まで入力画像データＤinを積算して、当該偶数番目の単位期間において第１積算データＳ１[n]を生成する第１積算部１１０と、偶数番目の単位期間の開始からこれに続く奇数番目の単位期間の終了まで入力画像データＤinを積算して、第２積算データＳ１[n]を生成する第２積算部１２０と、偶数番目の単位期間において第１積算データＳ１[n]に基づいて現在の入力画像データＤinを補正し、奇数番目の単位期間において第２積算データＳ２[n]とに基づいて現在の入力画像データＤinを補正して、補正画像データＤhを生成する補正部１５０とを備える。【選択図】図４
2014174398.tif 000002
【特許請求の範囲】
【請求項１】
データ線を介して画素回路に画像信号を供給する電気光学装置であって、
奇数番目の単位期間の開始からこれに続く偶数番目の単位期間の終了まで、入力画像データを積算して、当該偶数番目の単位期間において、前記データ線に供給される前記画像信号の電圧を１単位期間だけ過去から現在まで積分した積分値に対応する第１積算データを生成する第１積算部と、
偶数番目の単位期間の開始からこれに続く奇数番目の単位期間の終了まで、入力画像データを積算して、当該奇数番目の単位期間において、前記データ線に供給される前記画像信号の電圧を１単位期間だけ過去から現在まで積分した積分値に対応する第２積算データを生成する第２積算部と、
偶数番目の単位期間において、前記第１積算データに基づいて現在の入力画像データを補正し、奇数番目の単位期間において、前記第２積算データとに基づいて現在の入力画像データを補正して、補正画像データを生成する補正部と、
前記補正画像データに基づいて前記画像信号を生成して前記データ線に供給する駆動部と、  を備える、
ことを特徴とする電気光学装置。
【請求項２】
前記第１積算部は、前記奇数番目の単位期間が開始する前に、前記入力画像データの積算をリセットし、前記第２積算部は、前記偶数番目の単位期間が開始する前に、前記入力画像データの積算をリセットすることを特徴とする請求項１に記載の電気光学装置。
【請求項３】
前記駆動部は、所定周期で基準レベルを中心として信号の極性が反転するように前記画像信号を生成し、
前記第１積算部は、前記画像信号の極性に応じて、入力画像データの加算及び減算の一方を実行して前記第１積算データを生成し、
前記第２積算部は、前記画像信号の極性に応じて、入力画像データの加算及び減算の一方を実行して前記第２積算データを生成する、
ことを特徴とする請求項２に記載の電気光学装置。
【請求項４】
前記所定周期は前記単位期間であり、
前記第１積算部は、
前記第１積算データを記憶し、前記奇数番目の単位期間が開始する前に記憶内容がリセットされる第１記憶部と、
前記奇数番目の単位期間において、前記第１記憶部から読み出したデータと現在の入力画像データとを前記画像信号の極性に応じて加算又は減算して得られたデータを前記第１記憶部に書き込むことによって、前記第１記憶部の記憶内容を更新し、前記偶数番目の単位期間において、前記第１記憶部から読み出した前記第１積算データと現在の入力画像データの２倍を前記画像信号の極性に応じて加算又は減算して得た新たな第１積算データを前記第１記憶部に書き込むことによって、前記第１記憶部の記憶内容を更新する第１演算部とを備え、
前記第２積算部は、
前記第２積算データを記憶し、前記偶数番目の単位期間が開始する前に記憶内容がリセットされるする第２記憶部と、
前記偶数番目の単位期間において、前記第２記憶部から読み出したデータと現在の入力画像データとを前記画像信号の極性に応じて加算又は減算して得られたデータを前記第２記憶部に書き込むことによって、前記第２記憶部の記憶内容を更新し、前記奇数番目の単位期間において、前記第２記憶部から読み出した前記第２積算データと現在の入力画像データの２倍を前記画像信号の極性に応じて加算又は減算して得た新たな第２積算データを前記第２記憶部に書き込むことによって、前記第２記憶部の記憶内容を更新する第２演算部とを備え、
前記駆動部は、前記補正画像データに基づいて前記単位期間ごとに前記画像信号の極性を反転させる、
ことを特徴とする請求項３に記載の電気光学装置。
【請求項５】
前記入力画像データは、奇数番目のラインの画像を表す奇数フィールドと偶数番目のラインの画像を表す偶数フィールドとで１画面を構成するインターレース走査に対応したものであり、
第1期間と第２期間とを交互に繰り返して画像を表示し、
前記第1期間は、奇数番目の単位期間とこれに続く偶数番目の単位期間とからなり、
前記第２期間は、奇数番目の単位期間とこれに続く偶数番目の単位期間とからなり、
前記入力画像データは、前記第1期間の奇数番目の単位期間と偶数番目の単位期間において、同じ奇数フィールドの画像を示し、前記第２期間の奇数番目の単位期間と偶数番目の単位期間において、同じ偶数フィールドの画像を示す、
ことを特徴とする請求項４に記載の電気光学装置。
【請求項６】
奇数番目のラインの画像を表す奇数フィールドと偶数番目のラインの画像を表す偶数フィールドとで１画面を構成するインターレース走査に対応した入力画像データが供給され１フレームが第１期間と第２期間とからなり、前記第１期間は第１の単位期間と第２の単位期間からなり、前記第２期間は第３の単位期間と第４の単位期間からなり１フレームの処理を繰り返し、データ線を介して画素回路に画像信号を供給する電気光学装置であって、
あるフレームの第１の単位期間の開始からこれに続く第２の単位期間の終了まで、入力画像データを積算し、あるフレームの第３の単位期間の開始からこれに続く第４の単位期間の終了まで、入力画像データを積算して、あるフレームの第２の単位期間及び第４の単位期間において、前記データ線に供給される前記画像信号の電圧を１単位期間だけ過去から現在まで積分した積分値に対応する第１積算データを生成する第１積算部と、
あるフレームの第２の単位期間の開始から入力画像データを積算し、積算結果をあるフレームの第３の単位期間及び第４の単位期間中保持し、次のフレームの第１の単位期間の開始から入力画像データの積算を再開し、次のフレームの第１の単位期間において、前記データ線に供給される前記画像信号の電圧を１単位期間だけ過去から現在まで積分した積分値に対応する第２積算データを生成する第２積算部と、
あるフレームの第４の単位期間の開始から入力画像データを積算し、積算結果を次のフレームの第１の単位期間及び第２の単位期間中保持し、次のフレームの第３の単位期間の開始から入力画像データの積算を再開し、次のフレームの第３の単位期間において、前記データ線に供給される前記画像信号の電圧を１単位期間だけ過去から現在まで積分した積分値に対応する第３積算データを生成する第３積算部と、
第１の単位期間において、前記第２積算データに基づいて現在の入力画像データを補正し、第２の単位期間において、前記第１積算データに基づいて現在の入力画像データを補正し、第３の単位期間において、前記第３積算データに基づいて現在の入力画像データを補正し、第４の単位期間において、前記第１積算データとに基づいて現在の入力画像データを補正して補正画像データを生成する補正部と、
前記補正画像データに基づいて、単位期間ごとに基準レベルを中心として信号の極性が反転する前記画像信号を生成して前記データ線に供給する駆動部とを備え、
前記第１積算部は、前記画像信号の極性に応じて、前記入力画像データの加算及び減算の一方を実行して前記第１積算データを生成し、
前記第２積算部は、前記画像信号の極性に応じて、前記入力画像データの加算及び減算の一方を実行して前記第２積算データを生成し、
前記第３積算部は、前記画像信号の極性に応じて、前記入力画像データの加算及び減算の一方を実行して前記第３積算データを生成する、
ことを特徴とする電気光学装置。
【請求項７】
前記第１積算部は、
前記第１積算データを記憶し、前記あるフレーム及び次のフレームの第１の単位期間が開始する前に記憶内容がリセットされる第１記憶部と、
前記あるフレーム及び次のフレームの第１の単位期間において、前記第１記憶部から読み出したデータと現在の入力画像データとを前記画像信号の極性に応じて加算又は減算して得られたデータを前記第１記憶部に書き込むことによって、前記第１記憶部の記憶内容を更新し、前記あるフレーム及び次のフレームの第２の単位期間において、前記第１記憶部から読み出した前記第１積算データと現在の入力画像データの２倍を前記画像信号の極性に応じて加算又は減算して得た新たな第１積算データを前記第１記憶部に書き込むことによって、前記第１記憶部の記憶内容を更新する第１演算部とを備え、
前記第２積算部は、
前記第２積算データを記憶し、前記あるフレームの第２の単位期間が開始される前に記憶内容がリセットされる第２記憶部と、
前記あるフレームの第２の単位期間において、前記第２記憶部から読み出したデータと現在の入力画像データとを前記画像信号の極性に応じて加算又は減算して得られたデータを前記第２記憶部に書き込むことによって、前記第２記憶部の記憶内容を更新し、前記次のフレームの第１の単位期間において、前記第２記憶部から読み出した前記第２積算データと現在の入力画像データの２倍を前記画像信号の極性に応じて加算又は減算して得た新たな第２積算データを前記第２記憶部に書き込むことによって、前記第２記憶部の記憶内容を更新する第２演算部とを備え、
前記第３積算部は、
前記第３積算データを記憶し、前記あるフレームの第４の単位期間が開始される前に記憶内容がリセットされる第３記憶部と、
前記あるフレームの第４の単位期間において、前記第３記憶部から読み出したデータと現在の入力画像データとを前記画像信号の極性に応じて加算又は減算して得られたデータを前記第３記憶部に書き込むことによって、前記第３記憶部の記憶内容を更新し、前記次のフレームの第３の単位期間において、前記第３記憶部から読み出した前記第３積算データと現在の入力画像データの２倍を前記画像信号の極性に応じて加算又は減算して得た新たな第３積算データを前記第３記憶部に書き込むことによって、前記第３記憶部の記憶内容を更新する第３演算部とを備える、
ことを特徴とする請求項６に記載の電気光学装置。
【請求項８】
請求項１乃至７のうちいずれか１項に記載の電気光学装置を備えた電子機器。
【発明の詳細な説明】
【技術分野】
【０００１】
本発明は、画像を表示する電気光学装置及び電子機器に関連する。
【背景技術】
【０００２】
電気エネルギーによって光学特性が変化する電気光学素子を備えた電気光学装置の一例として液晶表示装置が知られている。液晶表示装置は、複数のデータ線と複数の走査線とを備え、データ線と走査線との交差に対応して画素回路が設けられている。画素回路は、選択トランジスターと電気光学素子たる液晶素子とを含む。選択トランジスターは走査線を介して供給される走査信号に応じてオン状態とオフ状態が制御される。選択トランジスターがオン状態になると、データ線を介して供給される画像信号が液晶素子に印加され、選択トランジスターがオフになると、液晶素子に画像信号の電圧が保持される。即ち、画素回路に画像信号を書き込んでから次に画像信号を書き込むまでの間は、最初に書き込んだが画像信号の電圧が液晶素子に保持され、液晶素子は画像信号の電圧に応じた透過率に制御される。電気光学装置の駆動では、複数の走査線を順番に選択し、選択した走査線に対応する画素回路にデータ線を介して画像信号を書き込む。このため、データ線の電圧は、水平走査期間ごとに変化する。
【０００３】
ところで、データ線と液晶素子とは、浮遊容量によって容量結合している。このため、ある走査線に対応する画素回路に画像信号を書き込んでから、次に画像信号を書き込むまでの期間において、データ線の電圧が変動すると、容量結合によって液晶素子で保持する画像信号の電圧が変動してしまう。この結果、表示画像の品質が劣化する。特に、液晶表示装置においては、基準レベルを中心として画像信号の極性を所定周期（例えば１フィールド）で反転する極性反転駆動を採用する。このため、データ線の電圧が大きく変動し、いわゆる縦クロストークと呼ばれる現象が発生することがある。
そこで、縦クロストークを改善するため、大容量のメモリに１フィールド分の画像データを記憶し、メモリに蓄積した１フィールド分の画像データに基づいて縦クロストークを補正する技術が知られている（例えば、特許文献１及び２）。
さらに、第１フィールドと第２フィールドで同じ画像を表示する液晶表示装置において、小容量のメモリを２つ用い、第１フィールドについては縦クロストークの補正を実行せず、第２フィールドについてのみ縦クロストークを補正する技術が知られている（例えば、特許文献３）。
【先行技術文献】
【特許文献】
【０００４】
【特許文献１】特開２００３−３３００９３号公報
【０００５】
【特許文献２】特許３８６９４６４号公報
【０００６】
【特許文献３】特許４８１６０３１号公報
【発明の概要】
【発明が解決しようとする課題】
【０００７】
しかし、特許文献１及び２の技術では、大容量のメモリが必要になるため、回路規模が増大するとともに、歩留まり及び信頼性が低下するといった問題がある。
また、特許文献３に記載された技術は、第１フィールドと第２フィールドで同じ画像を表示することを前提としている。しかし、近年は、液晶パネルの耐フリッカ性能の向上、あるいは駆動周波数の高速化に伴い、フィールドごとに画像を書き換える駆動が一般化しており、当該技術では、フィールドごとに画像を書き換える駆動には対応できないといった問題があった。
【０００８】
本発明は上述した事情に鑑みてなされたものあり、大容量のフレームメモリを必要とせず、フィールドごとに画像が変化する場合であっても、縦クロストークを抑圧することを解決課題とする。
【課題を解決するための手段】
【０００９】
以上の課題を解決するために、本発明の電気光学装置は、データ線を介して画素回路に画像信号を供給するものであって、奇数番目の単位期間の開始からこれに続く偶数番目の単位期間の終了まで、入力画像データを積算して、当該偶数番目の単位期間において、前記データ線に供給される前記画像信号の電圧を１単位期間だけ過去から現在まで積分した積分値に対応する第１積算データを生成する第１積算部と、偶数番目の単位期間の開始からこれに続く奇数番目の単位期間の終了まで、入力画像データを積算して、当該奇数番目の単位期間において、前記データ線に供給される前記画像信号の電圧を１単位期間だけ過去から現在まで積分した積分値に対応する第２積算データを生成する第２積算部と、偶数番目の単位期間において、前記第１積算データに基づいて現在の入力画像データを補正し、奇数番目の単位期間において、前記第２積算データとに基づいて現在の入力画像データを補正して、補正画像データを生成する補正部と、前記補正画像データに基づいて前記画像信号を生成して前記データ線に供給する駆動部と、を備えることを特徴とする。
【００１０】
この発明によれば、第１積算部及び第２積算部を備えるので、奇数番目の単位期間と偶数番目の単位期間の両方で縦クロストークを抑圧する補正を実行することができる。また、第１積算部は、奇数番目の単位期間の開始からこれに続く偶数番目の単位期間の終了まで入力画像データを積算するので、第１積算データを生成するために大容量のメモリを必要としない。また、第２積算部も同様に第２積算データを生成するために大容量のメモリを必要としない。この結果、電気光学装置の回路規模を大幅に縮小することができ、且つ消費電力を削減することが可能となる。
【００１１】
上述した電気光学装置において、前記第１積算部は、前記奇数番目の単位期間が開始する前に、前記入力画像データの積算をリセットし、前記第２積算部は、前記偶数番目の単位期間が開始する前に、前記入力画像データの積算をリセットすることが好ましい。入力画像データが動画である場合、過去の入力画像データの積算値に基づいて、将来のデータ線の電圧の変動を推定すると誤差が生じる。この発明によれば、第１積算部及び第２積算部は積算をリセットするので、次の単位期間に積算誤差が及ばない。よって、本発明によれば、入力画像データが動画の場合であっても、縦クロストークを有効に抑圧することが可能となる。
【００１２】
上述した電気光学装置において、前記駆動部は、所定周期で基準レベルを中心として信号の極性が反転するように前記画像信号を生成し、前記第１積算部は、前記画像信号の極性に応じて、入力画像データの加算又は減算の一方を実行して前記第１積算データを生成し、前記第２積算部は、前記画像信号の極性に応じて、入力画像データの加算又は減算の一方を実行して前記第２積算データを生成することが好ましい。画像信号の極性を反転する駆動では、データ線の電圧が大きく変動するため、縦クロストークが発生し易い。この発明によれば、第１積算部及び第２積算部は、画像信号の極性に応じて、入力画像データの加算又は減算の一方を実行して第１積算データ及び第２積算データを生成するので、データ線の電圧の変動に応じて入力画像データを補正することができる。
【００１３】
上述した電気光学装置において、前記所定周期は前記単位期間であり、前記第１積算部は、  前記第１積算データを記憶し、前記奇数番目の単位期間が開始する前に記憶内容がリセットされる第１記憶部と、前記奇数番目の単位期間において、前記第１記憶部から読み出したデータと現在の入力画像データとを前記画像信号の極性に応じて加算又は減算して得られたデータを前記第１記憶部に書き込むことによって、前記第１記憶部の記憶内容を更新し、前記偶数番目の単位期間において、前記第１記憶部から読み出した前記第１積算データと現在の入力画像データの２倍を前記画像信号の極性に応じて加算又は減算して得た新たな第１積算データを前記第１記憶部に書き込むことによって、前記第１記憶部の記憶内容を更新する第１演算部とを備え、前記第２積算部は、前記第２積算データを記憶し、前記偶数番目の単位期間が開始する前に記憶内容がリセットされるする第２記憶部と、前記偶数番目の単位期間において、前記第２記憶部から読み出したデータと現在の入力画像データとを前記画像信号の極性に応じて加算又は減算して得られたデータを前記第２記憶部に書き込むことによって、前記第２記憶部の記憶内容を更新し、前記奇数番目の単位期間において、前記第２記憶部から読み出した前記第２積算データと現在の入力画像データの２倍を前記画像信号の極性に応じて加算又は減算して得た新たな第２積算データを前記第２記憶部に書き込むことによって、前記第２記憶部の記憶内容を更新する第２演算部とを備え、前記駆動部は、前記補正画像データに基づいて前記単位期間ごとに前記画像信号の極性を反転させる、ことが好ましい。
【００１４】
この発明によれば、単位期間ごとに画像信号の極性が反転する場合、画像信号の極性に応じた入力画像データの積算を実行して第１積算データ及び第２積算データを得ることができる。この積算には、第１記憶部と第２記憶部とを用いるが、これらは積算過程のデータを記憶する記憶領域として機能するため、記憶容量は小さくてよい。よって、電気光学装置の回路規模を縮小するとともに、消費電力を削減することができる。さらに、第１記憶部と第２記憶部とは２単位期間ごとにリセットされるので、入力画像データが動画の場合であっても、縦クロストークを有効に抑圧することが可能となる。
【００１５】
上述した電気光学装置において、前記入力画像データは、奇数番目のラインの画像を表す奇数フィールドと偶数番目のラインの画像を表す偶数フィールドとで１画面を構成するインターレース走査に対応したものであり、第1期間と第２期間とを交互に繰り返して画像を表示し、  前記第1期間は、奇数番目の単位期間とこれに続く偶数番目の単位期間とからなり、前記第２期間は、奇数番目の単位期間とこれに続く偶数番目の単位期間とからなり、前記入力画像データは、前記第1期間の奇数番目の単位期間と偶数番目の単位期間において、同じ奇数フィールドの画像を示し、前記第２期間の奇数番目の単位期間と偶数番目の単位期間において、同じ偶数フィールドの画像を示す、ことを特徴とする。この発明によれば、入力画像データがインターレース走査に対応するものであっても、縦クロストークを抑圧することができる。
【００１６】
次に、本発明に係る他の電気光学装置は、奇数番目のラインの画像を表す奇数フィールドと偶数番目のラインの画像を表す偶数フィールドとで１画面を構成するインターレース走査に対応した入力画像データが供給され１フレームが第１期間と第２期間とからなり、前記第１期間は第１の単位期間と第２の単位期間からなり、前記第２期間は第３の単位期間と第４の単位期間からなり１フレームの処理を繰り返し、データ線を介して画素回路に画像信号を供給するものであって、あるフレームの第１の単位期間の開始からこれに続く第２の単位期間の終了まで、入力画像データを積算し、あるフレームの第３の単位期間の開始からこれに続く第４の単位期間の終了まで、入力画像データを積算して、あるフレームの第２の単位期間及び第４の単位期間において、前記データ線に供給される前記画像信号の電圧を１単位期間だけ過去から現在まで積分した積分値に対応する第１積算データを生成する第１積算部と、  あるフレームの第２の単位期間の開始から入力画像データを積算し、積算結果をあるフレームの第３の単位期間及び第４の単位期間中保持し、次のフレームの第１の単位期間の開始から入力画像データの積算を再開し、次のフレームの第１の単位期間において、前記データ線に供給される前記画像信号の電圧を１単位期間だけ過去から現在まで積分した積分値に対応する第２積算データを生成する第２積算部と、あるフレームの第４の単位期間の開始から入力画像データを積算し、積算結果を次のフレームの第１の単位期間及び第２の単位期間中保持し、次のフレームの第３の単位期間の開始から入力画像データの積算を再開し、次のフレームの第３の単位期間において、前記データ線に供給される前記画像信号の電圧を１単位期間だけ過去から現在まで積分した積分値に対応する第３積算データを生成する第３積算部と、  第１の単位期間において、前記第２積算データに基づいて現在の入力画像データを補正し、第２の単位期間において、前記第１積算データに基づいて現在の入力画像データを補正し、第３の単位期間において、前記第３積算データに基づいて現在の入力画像データを補正し、第４の単位期間において、前記第１積算データとに基づいて現在の入力画像データを補正して補正画像データを生成する補正部と、前記補正画像データに基づいて、単位期間ごとに基準レベルを中心として信号の極性が反転する前記画像信号を生成して前記データ線に供給する駆動部と、を備え、前記第１積算部は、前記画像信号の極性に応じて、前記入力画像データの加算及び減算の一方を実行して前記第１積算データを生成し、前記第２積算部は、前記画像信号の極性に応じて、前記入力画像データの加算及び減算の一方を実行して前記第２積算データを生成し、  前記第３積算部は、前記画像信号の極性に応じて、前記入力画像データの加算及び減算の一方を実行して前記第３積算データを生成する、ことを特徴とする。
【００１７】
この発明によれば、第１期間では、奇数フィールドの画像が供給され、第２期間では偶数フィールドの画像が供給されるところ、第２積算部は、あるフレームの第１期間の第２の単位期間で実行した積算結果をあるフレームの第２期間中保持し、次のフレームの第１期間の第１の単位期間において積算結果を用いて第２積算データを生成する。また、第３積算部は、あるフレームの第２期間の第４の単位期間で実行した積算結果を次のフレームの第１期間中保持し、次のフレームの第２期間の第３の単位期間において積算結果を用いて第３積算データを生成する。従って、第１乃至第３積算データは、奇数番目のラインの画像又は偶数番目の画像の一方に基づいて生成される。よって、第１乃至第３積算データの誤差を減少させ、縦クロストークを抑圧する程度を高めることができる。
【００１８】
上述した電気光学装置において、前記第１積算部は、前記第１積算データを記憶し、前記あるフレーム及び次のフレームの第１の単位期間が開始する前に記憶内容がリセットされる第１記憶部と、前記あるフレーム及び次のフレームの第１の単位期間において、前記第１記憶部から読み出したデータと現在の入力画像データとを前記画像信号の極性に応じて加算又は減算して得られたデータを前記第１記憶部に書き込むことによって、前記第１記憶部の記憶内容を更新し、前記あるフレーム及び次のフレームの第２の単位期間において、前記第１記憶部から読み出した前記第１積算データと現在の入力画像データの２倍を前記画像信号の極性に応じて加算又は減算して得た新たな第１積算データを前記第１記憶部に書き込むことによって、前記第１記憶部の記憶内容を更新する第１演算部とを備え、前記第２積算部は、前記第２積算データを記憶し、前記あるフレームの第２の単位期間が開始される前に記憶内容がリセットされる第２記憶部と、前記あるフレームの第２の単位期間において、前記第２記憶部から読み出したデータと現在の入力画像データとを前記画像信号の極性に応じて加算又は減算して得られたデータを前記第２記憶部に書き込むことによって、前記第２記憶部の記憶内容を更新し、前記次のフレームの第１の単位期間において、前記第２記憶部から読み出した前記第２積算データと現在の入力画像データの２倍を前記画像信号の極性に応じて加算又は減算して得た新たな第２積算データを前記第２記憶部に書き込むことによって、前記第２記憶部の記憶内容を更新する第２演算部とを備え、前記第３積算部は、前記第３積算データを記憶し、前記あるフレームの第４の単位期間が開始される前に記憶内容がリセットされる第３記憶部と、前記あるフレームの第４の単位期間において、前記第３記憶部から読み出したデータと現在の入力画像データとを前記画像信号の極性に応じて加算又は減算して得られたデータを前記第３記憶部に書き込むことによって、前記第３記憶部の記憶内容を更新し、前記次のフレームの第３の単位期間において、前記第３記憶部から読み出した前記第３積算データと現在の入力画像データの２倍を前記画像信号の極性に応じて加算又は減算して得た新たな第３積算データを前記第３記憶部に書き込むことによって、前記第３記憶部の記憶内容を更新する第３演算部とを備えることが好ましい。
【００１９】
この発明によれば、単位期間ごとに画像信号の極性が反転する場合、画像信号の極性に応じた入力画像データの積算を実行して第１乃至第３積算データを得ることができる。この積算には、第１乃至第３記憶部を用いるが、これらは積算過程のデータを記憶する記憶領域として機能するため、記憶容量は小さくてよい。よって、電気光学装置の回路規模を縮小するとともに、消費電力を削減することができる。さらに、第１乃至第３記憶部は所定のタイミングでリセットされるので、入力画像データが動画の場合であっても、縦クロストークを有効に抑圧することが可能となる。
【００２０】
次に、本発明に係る電子機器は、上述した電気光学装置を備えることが好ましい。そのような電子機器としては、プロジェクター、パーソナルコンピュータ、携帯電話機などが該当する。
【図面の簡単な説明】
【００２１】
【図１】本発明の第１実施形態に係る電気光学装置のブロック図である。
【図２】同実施形態に用いる画素の回路図である。
【図３】同実施形態の電気光学装置の駆動を説明するためのタイミングチャートである。
【図４】同実施形態に用いる画像処理回路の構成を示すブロック図である。
【図５】電気光学装置の動作を説明するためのタイミングチャートである。
【図６】第１記憶部の記憶内容の変化を示す説明図である。
【図７】第２記憶部の記憶内容の変化を示す説明図である。
【図８】偶数番目の単位期間において生成される第1積算データの変化を説明するための説明図である。
【図９】動画の場合の縦クロストークの抑圧効果を説明するための説明図である。
【図１０】インターレース走査を説明するための説明図である。
【図１１】第２実施形態に係る電気光学装置の動作を説明するためのタイミングチャートである。
【図１２】同実施形態に用いる画像処理回路の構成を示すブロック図である。
【図１３】第３実施形態に係る電気光学装置の動作を説明するためのタイミングチャートである。
【図１４】インターレース走査と書き込みラインとの関係を示す説明図である。
【図１５】電子機器（投射型表示装置）の斜視図である。
【図１６】電子機器（パーソナルコンピュータ）の斜視図である。
【図１７】電子機器（携帯電話機）の斜視図である。
【発明を実施するための形態】
【００２２】
＜第１実施形態＞
図１は、本発明の第１実施形態に係る電気光学装置１００のブロック図である。なお、第１実施形態に係る電気光学装置１００はノンインターレース走査に対応するものである。
電気光学装置１００は、画像処理回路１０A、電気光学パネル１２及び制御回路１４を具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本のデータ線３４とが形成される（Ｍ及びＮは自然数）。画素部３０内の複数の画素ＰIXは、走査線３２とデータ線３４との各交差に対応して縦Ｍ行×横Ｎ列の行列状に配列される。
【００２３】
図２は、各画素ＰIXの回路図である。図２に示すように、各画素ＰIXは、液晶素子ＣLと選択スイッチＳWとを含む。液晶素子ＣLは、相互に対向する画素電極６２及び共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLとデータ線３４との間に介在して両者の電気的な接続（導通／絶縁）を制御する。なお、液晶素子ＣLに並列に補助容量を接続した構成も採用され得る。
また、データ線３４と液晶素子ＣLとは浮遊容量Ｃaを介して容量結合している。従って、データ線３４の電圧が変化すると、液晶素子ＣLの印加電圧が変化する。
【００２４】
図１の画像処理回路１０Aは、入力画像データＤinに縦クロストークを抑圧する補正を施して補正画像データＤhを生成する。制御回路１４は、電気光学装置１００全体を制御し、駆動回路４０に対して各種の制御信号ＣＴＬ及び補正画像データＤhを供給すると共に、画像処理回路１０Aに極性信号Ｐを供給する。また、制御回路１４は、後述する第１記憶部１１２及び第２記憶部１２２の記憶内容をリセットする第１リセットパルスＲＥＳ１及び第２リセットパルスＲＥＳ２を生成する。更に、制御回路１４は、補正画像データＤhに基づいて画像信号Ｘを生成し、駆動回路４０に供給に供給する。
【００２５】
本実施形態では、いわゆる焼き付きを防止するため、液晶素子ＣLに印加する電圧の極性を所定周期で反転する極性反転駆動を採用する。この例では、データ線３４を介して画素ＰIXに供給する画像信号Ｘのレベルを、基準電圧Ｖrefを中心として単位期間ごとに反転する。単位期間は、画素ＰIXを駆動する動作の１単位となる期間である。この例では、単位期間は垂直走査期間となっている。但し、単位期間は任意に設定することができ、例えば、垂直走査期間の自然数倍であってもよい。極性信号Ｐは画像信号Ｘの極性を示す。この例では、極性信号Ｐがハイレベルの場合、画像信号Ｘは基準電圧Ｖrefに対して高電圧となる正極性、極性信号Ｐがローレベルの場合、画像信号Ｘは基準電圧Ｖrefに対して低電圧となる負極性となる。
【００２６】
駆動回路４０は、各画素ＰIXの表示階調を制御する画像信号Ｘ[n]を各画素ＰIXに供給する回路であり、走査線駆動回路４２とデータ線駆動回路４４とを具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定される（すなわち第ｍ行の走査線３２が選択される）ことで、第ｍ行の各画素ＰIXにおける選択スイッチＳWが同時にオン状態に遷移する。
【００２７】
データ線駆動回路４４は、走査線駆動回路４２による走査線３２の選択に同期してＮ本のデータ線３４の各々に画像信号Ｘ[1]〜Ｘ[N]を供給する。各画素ＰIX（液晶素子ＣL）は、走査線３２の選択時（選択スイッチＳWがオン状態に制御されたとき）にデータ線３４に供給されている画像信号Ｘ[n]（ｎ＝１〜Ｎ）の電位に応じた階調を表示する。
図３に駆動回路４０のタイミングチャートを示す。この図に示すように１単位期間において、走査信号Ｙ[1]〜Ｙ[M]が順次アクティブとなり、データ線３４に供給される画像信号Ｘ[n]（ｎ＝１〜Ｎ）が、画素ＰIXに書き込まれる。例えば、最初の単位期間で第２行第ｎ列の画素ＰIXには、画像信号Ｘ[n]V12が書き込まれる。当該画素ＰIXでは、画像信号Ｘ[n]V12が次の単位期間において走査信号Ｙ[2]がアクティブなるまで保持され、画像信号Ｘ[n]V22の書き込みが行われる。画像信号Ｘ[n]V12を保持する期間においても、ｎ番目のデータ線３４には、画像信号Ｘ[n]が供給されるので、データ線３４の電圧が変動する。この電圧変動が縦クロストークの一因となる。
【００２８】
図４は、画像処理回路１０Aの構成を示すブロック図である。画像処理回路１０Aは、第１積算部１１０、第２積算部１２０、及び補正部１５０を備える。
第１積算部１１０は、奇数番目の単位期間の開始からこれに続く偶数番目の単位期間の終了まで（図５参照）、入力画像データＤinを積算して、当該偶数番目の単位期間において、データ線３４に供給される画像信号Ｘ[n]（ｎ＝１〜Ｎ）の電圧を１単位期間だけ過去から現在まで積分した積分値に対応する第１積算データＳ１[n]を生成する。また、第１積算部１１０には極性信号Ｐが供給され、第１積算部１１０は極性信号Ｐの示す画像信号Ｘ[n]の極性に応じて、入力画像データＤinの加算及び減算の一方を実行して第１積算データＳ１[n]を生成する。
より具体的には、第１積算部１１０は、第１演算部１１１及び第１記憶部１１２を備える。第１記憶部１１２は、データ線３４の本数Ｎに応じたＮ個の第１積算データＳ１[n]（ｎ＝１〜Ｎ）を記憶する。第１演算部１１１は、第１記憶部１１２を用いて入力画像データＤinを積算して、Ｎ個の第１積算データＳ１[n]（ｎ＝１〜Ｎ）を生成する。なお、第１記憶部１１２の記憶内容は、奇数番目の単位期間が開始する直前にアクティブとなる第１リセットパルスＲＥＳ１によってリセットされる。
【００２９】
第２積算部１２０は、偶数番目の単位期間の開始からこれに続く奇数番目の単位期間の終了まで、入力画像データＤinを積算して、当該奇数番目の単位期間において、データ線３４に供給される画像信号Ｘ[n]の電圧を１単位期間だけ過去から現在まで積分した積分値に対応する第２積算データＳ２[n]を生成する。また、第２積算部１２０には極性信号Ｐが供給され、第２積算部１２０は極性信号Ｐの示す画像信号Ｘ[n]の極性に応じて、入力画像データＤinの加算及び減算の一方を実行して第２積算データＳ２[n]を生成する。
より具体的には、第２積算部１２０は、第２演算部１２１及び第２記憶部１２２を備える。第２記憶部１２２は、データ線３４の本数Ｎに応じたＮ個の第２積算データＳ２[n]（ｎ＝１〜Ｎ）を記憶する。第２演算部１２１は、第２記憶部１２２を用いて入力画像データＤinを積算して、Ｎ個の第２積算データＳ２[n]（ｎ＝１〜Ｎ）を生成する。なお、第２記憶部１２２の記憶内容は、偶数番目の単位期間が開始する直前にアクティブとなる第２リセットパルスＲＥＳ２によってリセットされる。
【００３０】
補正部１５０は、補正量演算部１５１を備える。補正量演算部１５１は、偶数番目の単位期間では第１積算データＳ１[n]に基づいて補正量を演算し、奇数番目の単位期間では第１積算データＳ１[n]に基づいて補正量を演算する。補正部１５０は補正量演算部１５１で生成した補正量を用いて、現在の入力画像データを補正して補正画像データＤhを生成する。
【００３１】
図５は、画像処理回路１０Aの動作を示すタイミングチャートである。同図に示すように第１積算部１１０は、奇数番目の単位期間において第１モードで動作する一方、偶数番目の単位期間において第２モードで動作する。また、第２積算部１１０は、偶数番目の単位期間において第２モードで動作する一方、奇数番目の単位期間において第１モードで動作する。第１モードでは、極性信号Ｐの示す極性が正極性である場合、入力画像データＤinをそのまま積算し、極性信号Ｐの示す極性が負極性である場合、入力画像データＤinに「-1」を乗じて積算する。この例では、単位期間ごとに極性が反転するフィールド反転駆動を採用し、奇数番目の単位期間では正極性（+）、偶数番目の単位期間では負極性（-）となる。従って、第１積算部１１０は、奇数番目の単位期間において入力画像データＤinをそのまま積算し、第２積算部１２０は、偶数番目の単位期間において入力画像データＤinに「-1」を乗じて積算する。
【００３２】
ここで、走査線３２の本数Ｍが「６」、データ線３４の本数がＮである場合を想定する。また、奇数番目の単位期間において、ｎ番目のデータ線３４に供給する画像信号Ｘ[n]に対応する入力画像データＤinがｄ11〜ｄ16であり、これに続く偶数番目の単位期間において、画像信号Ｘ[n]に対応する入力画像データＤinがｄ21〜ｄ26であり、これに続く奇数番目の単位期間において、ｎ番目のデータ線３４に供給する画像信号Ｘ[n]に対応する入力画像データＤinがｄ31〜ｄ36であるとする。
【００３３】
図６に第１記憶部１１２の記憶内容を示す。奇数番目の単位期間において第１演算部１１１は、第１モードでする。この場合、第１演算部１１１は、現在の入力画像データＤinと第１記憶部１１２から読み出したデータとを加算して得られたデータを第１記憶部１１２に書き込むことによって、第１記憶部１１２の記憶内容を更新する。まず、奇数番目の単位期間の直前に第１記憶部１１２の記憶内容はリセットされる。そして、入力画像データＤinとしてデータ値ｄ11が供給されると、第１演算部１１１は第１記憶部１１２からデータを読み出す。読み出したデータの値は「０」となっている。これとデータ値ｄ11とを積算して（この場合は、加算）、第１記憶部１１２の記憶内容を「ｄ11」に更新する。次に、入力画像データＤinとしてデータ値ｄ12が供給されると、第１記憶部１１２からデータ値ｄ11を読み出し、これとデータ値ｄ11とを積算して（この場合は、加算）、第１記憶部１１２の記憶内容を「ｄ11+ｄ12」に更新する。以後、積算を繰り返すことによって奇数番目の単位期間が終了する時点で、第１記憶部１１２にはデータ値「ｄ11+ｄ12+ｄ13+ｄ14+ｄ15+ｄ16」が記憶される。即ち、奇数番目の単位期間が終了する時点で、第１記憶部１１２には、ｎ番目のデータ線３４に供給される画像信号Ｘ[n]の電圧を１単位期間だけ過去から現在まで積分した積分値に対応する第１積算データＳ１[n]が格納される。
【００３４】
図７に第２記憶部１２２の記憶内容を示す。偶数番目の単位期間において、第２演算部１２１は、第１モードで動作する。この場合、第２演算部１２１は、現在の入力画像データＤinに「-1」を乗算し、乗算結果と第２記憶部１２２から読み出したデータとを加算して得られたデータを第２記憶部１２２に書き込むことによって、第２記憶部１２２の記憶内容を更新する。まず、偶数番目の単位期間の直前に第２記憶部１２２の記憶内容はリセットされる。そして、入力画像データＤinとしてデータ値ｄ21が供給されると、第２演算部１２１は第２記憶部１２２からデータを読み出す。読み出したデータの値は「０」となっている。一方、偶数番目の単位期間では極性信号Ｐは負極性を示すので、第２演算部１２１は、読み出したデータ値「0」と入力画像データＤinのデータ値「ｄ21」に「-1」を乗算した「-ｄ21」とを積算して（この場合は、ｄ21の減算）、第２記憶部１２２の記憶内容を「-ｄ21」に更新する。次に、入力画像データＤinとしてデータ値ｄ22が供給されると、第２記憶部１２２からデータ値-ｄ21を読み出し、これとデータ値-ｄ22とを積算して（この場合は、ｄ22の減算）、第２記憶部１２２の記憶内容を「-ｄ21-ｄ22」に更新する。以後、積算を繰り返すことによって偶数番目の単位期間が終了する時点で、第２記憶部１２２にはデータ値「-ｄ21-ｄ22-ｄ23-ｄ24-ｄ25-ｄ26」が記憶される。即ち、偶数番目の単位期間が終了する時点で、第２記憶部１２２には、ｎ番目のデータ線３４に供給される画像信号Ｘ[n]の電圧を１単位期間だけ過去から現在まで積分した積分値に対応する第２積算データＳ２[n]が格納される。
【００３５】
次に、偶数番目の単位期間において、第１演算部１１１は第２モードで動作する。この場合、第１演算部１１１は、第１記憶部１１２から読み出した第１積算データＳ１[n]から現在の入力画像データＤinの２倍を減算して得た新たな第１積算データＳ１[n]を第１記憶部１１２に書き込むことによって、第１記憶部１１２の記憶内容を更新する。図５に示すように偶数番目の単位期間が開始して、現在の入力画像データＤinであるデータ値ｄ21が供給されると、第１演算部１１１は、第１記憶部１１２から読み出した第１積算データＳ１[n]= ｄ11+ｄ12+ｄ13+ｄ14+ｄ15+ｄ16から、「2ｄ22」を減算して得た第１積算データＳ１[n]を第１記憶部１１２に書き込む。これにより、第１記憶部１１２の記憶内容は、「ｄ11+ｄ12+ｄ13+ｄ14+ｄ15+ｄ16-2ｄ21」に更新される。次に、入力画像データＤinとしてデータ値ｄ22が供給されると、第１記憶部１１２からデータ値「ｄ11+ｄ12+ｄ13+ｄ14+ｄ15+ｄ16-2ｄ21」を読み出し、これから2ｄ22を減算して、第１記憶部１１２の記憶内容を「ｄ11+ｄ12+ｄ13+ｄ14+ｄ15+ｄ16-2ｄ21-2ｄ22」に更新する。以後、同様の演算を繰り返すことによって、第１演算部１１１は、偶数番目の単位期間において第１積算データＳ１[n]を生成する。
【００３６】
次に、奇数番目の単位期間において、第２演算部１２１は第２モードで動作する。この場合、第２演算部１２１は、第２記憶部１２２から読み出した第２積算データＳ１[n]に現在の入力画像データＤinの２倍を加算して得た新たな第２積算データＳ２[n]を第２記憶部１２２に書き込むことによって、第２記憶部１２２の記憶内容を更新する。図６に示すように奇数番目の単位期間が開始して、現在の入力画像データＤinであるデータ値ｄ31が供給されると、第２演算部１２１は、第２記憶部１２２から読み出した第２積算データＳ２[n]=-ｄ21-ｄ22-ｄ23-ｄ24-ｄ25-ｄ26に、「2ｄ31」を加算して得た第２積算データＳ２[n]を第２記憶部１２２に書き込む。これにより、第２記憶部１２２の記憶内容は、「-ｄ21-ｄ22-ｄ23-ｄ24-ｄ25-ｄ26+2ｄ31」に更新される。次に、入力画像データＤinとしてデータ値ｄ32が供給されると、第２記憶部１２２からデータ値「-ｄ21-ｄ22-ｄ23-ｄ24-ｄ25-ｄ26+2ｄ31」を読み出し、これに2ｄ32を減算して、第１記憶部１１２の記憶内容を「-ｄ21-ｄ22-ｄ23-ｄ24-ｄ25-ｄ26+2ｄ31+2ｄ32」に更新する。以後、同様の演算を繰り返すことによって、第２演算部１２１は、奇数番目の単位期間において第２積算データＳ２[n]を生成する。
【００３７】
図８に、偶数番目の単位期間において生成される第1積算データＳ１[n]を示す。同図に示す波形は、画像信号Ｘ[n]を示したものである。まず、奇数番目の単位期間が終了した時点では、第1積算データＳ１[n]は、（Ａ）に網かけで示す面積Ｓｘに相当する値となっている。次に、偶数番目の単位期間の第1番目の水平走査期間では、（Ｂ）に網かけで示す面積がｎ番目のデータ線３４に供給される画像信号Ｘ[n]の電圧を１単位期間だけ過去から現在まで積分した積分値に対応する。このため、奇数番目の単位期間が終了した時点の面積Ｓｘから、データ値ｄ11に対応する面積を取り除き、更に、データ値ｄ21に相当する面積を減算する必要がある。入力画像データＤinは一般にフィールド相関性が高いので、データ値ｄ11はデータ値２１に略等しい。そこで、第1積算データＳ１[n]（=ｄ11+ｄ12+ｄ13+ｄ14+ｄ15+ｄ16）からデータ値ｄ21を減算することによって、基準電圧Ｖrefより高い部分の面積が得られる。次に、偶数番目の単位期間においては、極性信号Ｐがローレベルとなり負極性となるので、データ値ｄ21を減算することによって基準電圧Ｖrefを中心として画像信号Ｘ[n]の電圧を１単位期間だけ過去から現在まで積分した積分値に対応する第１積算データＳ１[n] （=ｄ11+ｄ12+ｄ13+ｄ14+ｄ15+ｄ16-2ｄ12）が得られる。このようにして得られた新たな第１積算データＳ１[n]によって、第1記憶部１１２の記憶内容を更新する。この結果、偶数番目の単位期間の第１番目の水平走査期間Ｈ１では、図６に示すように第1記憶部１１２の記憶内容が更新される。
【００３８】
この後、偶数番目の単位期間の第２番目の水平走査期間Ｈ２では、図８に示すように（Ｂ）に示すデータ値ｄ12と略等しいデータ値ｄ22を減算し、さらに、基準電圧Ｖrefより低電圧に対応させるためデータ値ｄ22を減算して第１積算データＳ１[n]を生成する。この結果、偶数番目の単位期間の第２番目の水平走査期間Ｈ１では、図６に示すように第1記憶部１１２の記憶内容が「ｄ11+ｄ12+ｄ13+ｄ14+ｄ15+ｄ16-2ｄ12-2ｄ22」に更新される。
そして、偶数番目の単位期間の第３番目の水平走査期間Ｈ３では図８（Ｃ）、第４番目の水平走査期間Ｈ４では図８（Ｄ）、第５番目の水平走査期間Ｈ５では図８（Ｅ）に示すように第１積算データＳ１[n]が生成され、第１記憶部１１２の記憶内容が図６に示すように更新される。
【００３９】
このように第１演算部１１１は、第１記憶部１１２を用いて第１モードでは入力画像データＤinを積算して１単位期間分の第１積算データＳ１[n]を生成し、第２モードでは、第１モードで生成した第１積算データＳ１[n]と現在の入力画像データＤinを用いて１水平走査期間ごとに積算の範囲がシフトするように第１記憶部１１２の記憶内容をを更新したので、大容量のフィールドメモリを用いることなく、第１記憶部１１２の記憶容量を大幅に削減することができる。また、第２記憶部１２２についても、同じ理由によって記憶容量を大幅に削減することができる。
【００４０】
そして、補正部１５０は、偶数番目の単位期間においては、第１積算部１１０で生成した第１積算データＳ１[n]を用いて現在の入力画像データＤinを補正する。第１積算データＳ１[n]は、当該偶数番目の単位期間において、データ線３４に供給される画像信号Ｘ[n]（ｎ＝１〜Ｎ）の電圧を１単位期間だけ過去から現在まで積分した積分値に対応している。画像はフィールド相関性が高いので、過去の１単位期間と同じように現在から１単位期間だけ未来の画像信号Ｘ[n]も変化すると推定できる。縦クロストークは、データ線３４の電圧が変化に伴いデータ線３４と容量結合した液晶素子ＣLの印加電圧が変化することによって発生する。従って、偶数番目の単位期間において、第１積算データＳ１[n]に基づいて現在の入力画像データＤinを補正することによって、偶数番目の単位期間に画像信号Ｘ[n]を画素ＰIXに書き込んでから、これに続く奇数番目の単位期間に画像信号Ｘ[n]を画素ＰIXに書き込むまでの期間に、液晶素子ＣLの印加電圧の変化を補正することが可能となる。
補正部１５０は、奇数番目の単位期間においては、第２積算部１２０で生成した第２積算データＳ２[n]を用いて現在の入力画像データＤinを補正する。これによって、奇数番目の単位期間に画像信号Ｘ[n]を画素ＰIXに書き込んでから、これに続く偶数番目の単位期間に画像信号Ｘ[n]を画素ＰIXに書き込むまでの期間に、液晶素子ＣLの印加電圧が変化を補正することが可能となる。
【００４１】
更に、本実施形態では、第１積算部１１０及び第２積算部１２０を備えるので、奇数番目の単位期間と偶数番目の単位期間の両方で縦クロストークを抑圧する補正を実行することができる。即ち、静止画を前提としなくても、記憶容量の小さい第１記憶部１１２及び第２記憶部１２２を用いて縦クロストークの補正を行うことができる。
【００４２】
ここで、図９を参照して動画の場合の縦クロストークの抑圧効果を説明する。この例では、ある単位期間（あるフィールド）において、灰色を背景として中央部に白の長方形が表示され、次の単位期間（次のフィールド）において、白の長方形が右に移動したとする。この場合、領域Ａ１、Ａ３、Ａ４、及びＡ６については、正確に縦クロストークを補正できないが、領域Ａ２及び領域Ａ５については縦クロストークを抑圧することができる。
【００４３】
加えて、本実施形態では、第１記憶部１１２の記憶内容を奇数番目の単位期間の直前にリセットするとともに、第２記憶部１２２の記憶内容を偶数番目の単位期間の直前にリセットする。これによって、動画において縦クロストークの抑圧が十分でない領域があっても、その影響が次の単位期間に及ばなくなる。よって、静止画や倍速駆動のように同一の画像を複数の単位期間に書き込む場合のみならず、単位期間ごとに画像が変化する場合であっても、縦クロストークを有効に抑圧することができる。
【００４４】
＜第２実施形態＞
第２実施形態に係る電気光学装置１００の構成は、図１を参照して説明した第１実施形態の電気光学装置１００と同様であるが、第1実施形態の電気光学装置１００はノンインタレース走査を実行するのに対して、第２実施形態に係る電気光学装置１００はインターレース走査を実行する点で相違する。
【００４５】
インターレース走査では、図１０に示すように奇数フィールドの実線で示す奇数番目のラインの画像と、偶数フィールドの実線で示す偶数番目のラインの画像とによって１画面の画像が得られる。入力画像データＤinは、奇数フィールドと偶数フィールドとで１画面を構成するインターレース走査に対応したものとなっている。
本実施形態では、４つの単位期間で１画面の画像を表示する。具体的には、第1期間において奇数フィールドの画像を画素ＰIXに２度書き込み、第２期間において奇数フィールドの画像を画素ＰIXに２度書き込む。
【００４６】
図１１に第２実施形態に係る電気光学装置１００のタイミングチャートを示す。この図に示すように、第1期間は奇数番目の単位期間と偶数番目の単位期間とで構成され、第２期間も同様に奇数番目の単位期間と偶数番目の単位期間とで構成される。そして、第1期間及び第２期間における奇数番目の単位期間では正極性で画像信号Ｘ[n]を画素ＰIXに書き込み（極性信号Ｐがハイレベル）、第1期間及び第２期間における偶数番目の単位期間では負極性で画像信号Ｘ[n]を画素ＰIXに書き込む（極性信号Ｐがローレベル）。
【００４７】
上述したように第1期間では、奇数フィールドで得られる同じ画像を奇数番目の単位期間と偶数番目の単位期間に書き込み、第２期間では、偶数フィールドで得られる同じ画像を奇数番目の単位期間と偶数番目の単位期間に書き込む。従って、液晶素子ＣLに印加される電圧の極性バランスを良好に保つことができる。
【００４８】
また、上述した第1実施形態と同様に、第1積算部１１０及び第２積算部１２０は、第1記憶部１１２及び第２記憶部１２２を用いて、第1モードにおいて入力画像データＤinを積算し、第２モードにおいて第１積算データＳ１[n]及び第２積算データＳ２[n]を生成する。この結果、縦クロストークの補正が可能となる。
過去の入力画像データＤinをフレームメモリを用いて記憶する場合には、奇数フィールドの画像と偶数フィールドの画像を記憶する必要があるが、本実施形態では記憶容量の小さい第1記憶部１１２及び第２記憶部１２２を用いることができるので、回路規模と消費電力を大幅に縮小することができる。
【００４９】
加えて、第２実施形態でも第1実施形態と同様に、第１記憶部１１２の記憶内容を奇数番目の単位期間の直前にリセットするとともに、第２記憶部１２２の記憶内容を偶数番目の単位期間の直前にリセットする。第２積算部１２０で生成する第２積算データＳ２[n]は、奇数フィールドの画像と偶数フィールドの画像に跨るものである。画像のライン相関性は高いが、奇数ラインの画像と偶数ラインの画像は完全に一致しない。従って、第１実施形態で説明した動画の場合と同様に縦クロストークの抑圧が十分でない領域が発生することがある。しかしながら、第２記憶部１２２の記憶内容は偶数番目の単位期間の直前にリセットされる。これによって、縦クロストークの抑圧が十分でない領域があっても、その影響が次の単位期間に及ばなくなる。よって、インターレース走査においても、縦クロストークを有効に抑圧することができる。
【００５０】
＜第３実施形態＞
第３実施形態に係る電気光学装置１００は、第２実施形態に係る電気光学装置１００と同様にインターレース走査を実行する。第３実施形態に係る電気光学装置１００は、図４に示す画像処理回路１０Aの替わりに、画像処理回路１０Bを用いる点を除いて、図１に示す第１実施形態に係る電気光学装置１００と同様に構成されている。
図１２に画像処理回路１０Bの構成を示す。画像処理回路１０Bは、第３積算部１３０を追加した点を除いて、図４に示す第１実施形態の画像処理回路１０Aと同様に構成されている。
第３積算部１３０は、第３演算部１３１と第３記憶部１３２とを備え、入力画像データＤinに基づいて第３積算データＳ３[n]を生成する。
【００５１】
図１３に第３実施形態に係る電気光学装置１００のタイミングチャートを示す。この図に示すように１フレームは第１期間と第２期間とからなり、第２実施形態と同様に、第１期間において奇数フィールドの画像を画素ＰIXに２度書き込み、第２期間において奇数フィールドの画像を画素ＰIXに２度書き込む。また、第１期間は第１の単位期間と第２の単位期間からなり、第２期間は第３の単位期間と第４の単位期間からなる。なお、第１及び第３の単位期間は、第２実施形態の奇数番目の単位期間に相当し、第２及び第４の単位期間は、第２実施形態の偶数番目の単位期間に相当する。
【００５２】
第１積算部１１０は、あるフレームの第１の単位期間の開始からこれに続く第２の単位期間の終了まで、入力画像データＤinを積算し、あるフレームの第３の単位期間の開始からこれに続く第４の単位期間の終了まで、入力画像データＤinを積算して、あるフレームの第２の単位期間及び第４の単位期間において、データ線３４に供給される画像信号Ｘ[n]の電圧を１単位期間だけ過去から現在まで積分した積分値に対応する第１積算データＳ１[n]を生成する。なお、第１積算部１１０は、次のフレームでも同様に動作して第１積算データＳ１[n]を生成する。
【００５３】
より具体的には、第１演算部１１１は、あるフレームの第１の単位期間において、第１モードで動作する。この場合、第１演算部１１１は、現在の入力画像データＤinと第１記憶部１１２から読み出したデータとを加算して得られたデータを第１記憶部１１２に書き込むことによって、第１記憶部１１２の記憶内容を更新する。また、第１演算部１１１は、あるフレームの第２の単位期間において、第２モードで動作する。この場合、第１演算部１１１は、第１記憶部１１２から読み出した第１積算データＳ１[n]と現在の入力画像データＤinとに基づいて演算して得た新たな第１積算データＳ１[n]を第１記憶部１１２に書き込むことによって、第１記憶部１１２の記憶内容を更新する。なお、第１記憶部１１２の記憶内容は、第１リセットパルスＲＥＳ１によって第１の単位期間及び第２の単位期間が開始する直前にリセットされる。
【００５４】
次に、第２積算部１２０は、あるフレームの第２の単位期間の開始から入力画像データＤinを積算し、積算結果をあるフレームの第３の単位期間及び第４の単位期間中保持し、次のフレームの第１の単位期間の開始から入力画像データＤinの積算を再開し、次のフレームの第１の単位期間において、データ線３４に供給される画像信号Ｘ[n]の電圧を１単位期間だけ過去から現在まで積分した積分値に対応する第２積算データＳ２[n]を生成する。
【００５５】
より具体的には、第２演算部１２１は、あるフレームの第２の単位期間において、第１モードで動作する。この場合、第２演算部１２１は、現在の入力画像データＤinと第２記憶部１２２から読み出したデータとを加算して得られたデータを第２記憶部１２２に書き込むことによって、第２記憶部１２２の記憶内容を更新する。また、第２演算部１２１は、次のフレームの第１の単位期間において、第２モードで動作する。この場合、第２演算部１２１は、第２記憶部１２２から読み出した第２積算データと現在の入力画像データとに基づいて演算して得た新たな第２積算データＳ２[n]を第２記憶部１２２に書き込むことによって、第２記憶部１２２の記憶内容を更新する。なお、第２記憶部１２２の記憶内容は、第２リセットパルスＲＥＳ３によって第２の単位期間が開始する直前にリセットされる。
【００５６】
次に、第３積算部１３０は、あるフレームの第３の単位期間の開始から入力画像データＤinを積算し、積算結果を次のフレームの第１の単位期間及び第２の単位期間中保持し、次のフレームの第３の単位期間の開始から入力画像データＤinの積算を再開し、次のフレームの第３の単位期間において、データ線３４に供給される画像信号Ｘ[n]の電圧を１単位期間だけ過去から現在まで積分した積分値に対応する第３積算データＳ３[n]を生成する。
【００５７】
より具体的には、第３演算部１３１は、あるフレームの第４の単位期間において、第１モードで動作する。この場合、第３演算部１３１は、現在の入力画像データＤinと第３記憶部１３２から読み出したデータとを加算して得られたデータを第３記憶部１３２に書き込むことによって、第３記憶部１３２の記憶内容を更新する。また、第３演算部１３１は、次のフレームの第３の単位期間において、第２モードで動作する。この場合、第３演算部１３１は、第３記憶部１３２から読み出した第３積算データＳ３[n]と現在の入力画像データＤinとに基づいて演算して得た新たな第３積算データＳ３[n]を第３記憶部１３２に書き込むことによって、第３記憶部１３２の記憶内容を更新する。なお、第３記憶部１３２の記憶内容は、制御回路１４から供給される第３リセットパルスＲＥＳ３によって第４の単位期間が開始する直前にリセットされる。
【００５８】
補正部１５０の補正量演算部１５１は、あるフレームの第１の単位期間では第２積算データＳ２[n]に基づいて補正量を演算し、あるフレームの第２の単位期間では第１積算データＳ１[n]に基づいて補正量を演算し、あるフレームの第３の単位期間では第３積算データＳ３[n]に基づいて補正量を演算し、あるフレームの第４の単位期間では第１積算データＳ１[n]に基づいて補正量を演算し、次のフレームの第１の単位期間では第２積算データＳ２[n]に基づいて補正量を演算し、次のフレームの第２の単位期間では第１積算データＳ１[n]に基づいて補正量を演算し、次のフレームの第３の単位期間では第３積算データＳ３[n]に基づいて補正量を演算し、次のフレームの第４の単位期間では第１積算データＳ１[n]に基づいて補正量を演算する。そして、補正部１５０は算出した補正量に基づいて入力画像データＤinを補正して補正画像データＤhを生成する。
【００５９】
図１４に、インターレース走査と書き込みラインとの関係を示す。この例では１画面が９列１２行の画素ＰIXからなるものとする。インターレース走査では、奇数番目のラインからなる奇数フィールドの画像を第１期間で書き込み、偶数番目のラインからなる偶数フィールドの画像を第２期間で書き込む。図１４に例示した画像では、第１期間に書き込まれる画像と第２期間に書き込まれる画像が相違する。
【００６０】
上述した第２実施形態では、図１１に示すように第２積算部１２０は、第１期間の偶数番目の単位期間で生成した入力画像データＤinの積算結果を用いて、第２期間の奇数番目の単位期間において第２積算データＳ２[n]を生成する。上述したようにインターレースでは、第１期間と第２期間とで、書き込み画像が相違するため、第２積算データＳ２[n]は誤差を含むことになる。
【００６１】
これに対して、本実施形態では、図１３に示すように、第２積算部１２０は、あるフレームの第１期間の第２の単位期間において奇数フィールドの画像について入力画像データＤinを積算し、第２記憶部１２２の記憶内容を第２期間中保持して、次のフレームの第１の単位期間において第２モードで動作する。次のフレームの第１期間では、奇数フィールドの画像を示す入力画像データＤinが供給されるので、第２積算部１２０は、より正確な第２積算データＳ２[n]を生成することができる。
【００６２】
また、第３積算部１３０は、あるフレームの第２期間の第４の単位期間において偶数フィールドの画像について入力画像データＤinを積算し、第３記憶部１３２の記憶内容を次の第１期間中保持して、次のフレームの第３の単位期間において第２モードで動作する。次のフレームの第２期間では、偶数フィールドの画像を示す入力画像データＤinが供給されるので、第３積算部１３０は、より正確な第３積算データＳ３[n]を生成することができる。
これにより、第３実施形態に係る電気光学装置１００は、インターレース走査において、回路規模及び消費電力を削減しつつ、縦クロストークを抑圧することができる。
【００６３】
＜変形例＞
以上の各形態は多様に変形され得る。具体的な変形の態様を以下に例示する。以下の例示から任意に選択された２以上の態様は、相互に矛盾しない範囲内で適宜に併合され得る。
【００６４】
（１）上述した各実施形態では、画像信号Ｘ[n]の極性が反転する所定周期を１単位期間としたが、本発明はこれに限定されるものではなく１垂直走査期間の自然数倍、あるいは１水平走査期間の自然数倍であってもよい。これらの場合であっても、第１乃至第３積算部１１０〜１３０は、極性信号Ｐの示す極性が正極性であれば入力画像データＤinをそのまま積算し、極性信号Ｐの示す極性が負極性であれば入力画像データＤinに「-1」を乗じて積算して、第１乃至第３積算データＳ１[n]〜Ｓ３[n]を生成すればよい。
【００６５】
（２）本発明において、電気光学素子は液晶素子ＣLに限定されない。例えば、有機ＥＬ素子や電気泳動素子を電気光学素子として利用することも可能である。すなわち、電位光学素子は、電気的な作用（例えば電圧の印加）に応じて光学的な特性（例えば透過率）が変化する表示素子として包括される。これらの電気光学素子を備えた画素ＰIXであっても、データ線３４の電圧が変動すると、画素ＰIXで保持する画像信号Ｘ[n]に応じた電圧が変動し、縦クロストークが発生する場合があり得る。この変形例によれば、そのような場合にも縦クロストークを抑圧することができる  
【００６６】
（３）上述した各実施形態において補正部１５０の補正量演算部１５１は、第１乃至第３積算データＳ１[n]〜Ｓ３[n]を用いて所定の演算を実行することにより補正量を演算した。ここで、「第１乃至第３積算データＳ１[n]〜Ｓ３[n]を用いて所定の演算を実行する」とは、所定の演算の変数の一つとして、第１乃至第３積算データＳ１[n]〜Ｓ３[n]を用いるの意味であって、所定の演算に他の変数があってもよい。例えば、第１乃至第３積算データＳ１[n]〜Ｓ３[n]から現在の入力画像データＤinを減算又は加算して得た値に所定の係数を乗算して、補正量を演算してもよい。これは、画素ＰIXがデータ線３４の電圧変動の影響を受けるのは、現在の入力画像データＤinに対応する画像信号Ｘ[n]の書き込みが終了してから、次に画像信号Ｘ[n]の書き込みを開始するまでの期間であって、画像信号Ｘ[n]の書き込み中はデータ線３４の電圧変動の影響をうけないからである。
【００６７】
（４）電気光学素子は液晶素子ＣLに限定されない。例えば、有機ＥＬ素子や電気泳動素子を電気光学素子として利用することも可能である。すなわち、電位光学素子は、電気的な作用（例えば電圧の印加）に応じて光学的な特性（例えば透過率）が変化する表示素子として包括される。これらの電気光学素子を備えた画素ＰIXであっても、データ線３４の電圧が変動すると、画素ＰIXで保持する画像信号Ｘ[n]に応じた電圧が変動し、縦クロストークが発生する場合があり得る。この変形例によれば、そのような場合にも縦クロストークを抑圧することができる。
【００６８】
＜応用例＞
以上の各形態に例示した電気光学装置１００は、各種の電子機器に利用され得る。図１５から図１７には、電気光学装置１００を採用した電子機器の具体的な形態が例示されている。
【００６９】
図１５は、電気光学装置１００を適用した投射型表示装置（３板式のプロジェクター）４０００の模式図である。投射型表示装置４０００は、相異なる表示色（赤色，緑色，青色）に対応する３個の電気光学装置１００（１００R１００G１００B）を含んで構成される。照明光学系４００１は、照明装置（光源）４００２からの出射光のうち赤色成分ｒを電気光学装置１００Rに供給し、緑色成分ｇを電気光学装置１００Gに供給し、青色成分ｂを電気光学装置１００Bに供給する。各電気光学装置１００は、照明光学系４００１から供給される各単色光を表示画像に応じて変調する光変調器（ライトバルブ）として機能する。投射光学系４００３は、各電気光学装置１００からの出射光を合成して投射面４００４に投射する。
【００７０】
図１６は、電気光学装置１００を採用した可搬型のパーソナルコンピューターの斜視図である。パーソナルコンピューター２０００は、各種の画像を表示する電気光学装置１００と、電源スイッチ２００１やキーボード２００２が設置された本体部２０１０とを具備する。
【００７１】
図１７は、電気光学装置１００を適用した携帯電話機の斜視図である。携帯電話機３０００は、複数の操作ボタン３００１及びスクロールボタン３００２と、各種の画像を表示する電気光学装置１００とを備える。スクロールボタン３００２を操作することによって、電気光学装置１００に表示される画面がスクロールされる。
【００７２】
なお、本発明に係る電気光学装置が適用される電子機器としては、図１５から図１７に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００７３】
１００……電気光学装置、１０A，１０B……画像処理回路、１２……電気光学パネル、１４……制御回路、３０……画素部、ＰIX……画素、ＣL……液晶素子、ＳW……選択スイッチ、３２……走査線、３４……データ線、４０……駆動回路、４２……走査線駆動回路、４４……データ線駆動回路、１１０……第１積算部、１１１……第１演算部、１１２……第１記憶部、１２０……第２積算部、１２１……第２演算部、１２２……第２記憶部、１３０……第３積算部、１３１……第３演算部、１３２……第３記憶部、１５０……補正部。
【図１】
2014174398.tif 000003
【図２】
2014174398.tif 000004
【図３】
2014174398.tif 000005
【図４】
2014174398.tif 000006
【図５】
2014174398.tif 000007
【図６】
2014174398.tif 000008
【図７】
2014174398.tif 000009
【図８】
2014174398.tif 000010
【図１０】
2014174398.tif 000011
【図１１】
2014174398.tif 000012
【図１２】
2014174398.tif 000013
【図１３】
2014174398.tif 000014
【図１５】
2014174398.tif 000015
【図１６】
2014174398.tif 000016
【図１７】
2014174398.tif 000017
【図９】
2014174398.tif 000018
【図１４】
2014174398.tif 000019